(57)【要約】【課題】簡単な操作で陽除け等の出し入れを行える敷材および敷材付のベビーキャリアを提供する。【解決手段】敷材５０は、幼児の背面側にあてがう本体部５１と、この本体部５１の頭部側周縁から立ち上がるガード部５２と、基端縁６１が前記ガード部５２の上端縁に取付けられて起立可能なつば部６０とを備える。また、ベビーキャリアは、前記敷材５０と、この敷材５０を保持するキャリア本体と、キャリア本体に取付けられるショルダーベルトとを備える。【選択図】            図５
2004248879.tif 000002
【特許請求の範囲】
【請求項１】
幼児の背面側にあてがう本体部（５１）と、この本体部（５１）の頭部側周縁から立ち上がるガード部（５８）と、基端縁（６１）が前記ガード部（５８）の上端縁に取付けられて起立可能なつば部（６０）とを備えることを特徴とする敷材。
【請求項２】
前記つば部（６０）の外周縁（６２）に芯材が取付けられている請求項１に記載の敷材。
【請求項３】
前記本体部（５１）を保持するキャリア本体（１０）に装着するための装着用部材を備える請求項１または２に記載の敷材。
【請求項４】
前記装着用部材は、前記本体部（５１）の頭部側周縁に取付けられて前記敷材の裏面との間に下端で開口する袋状部（５７）を形成するとともに、この袋状部（５７）の上部左右両側に開口部（５８）（５８）を形成する袋部材（５６）である請求項１〜３のいずれかに記載の敷材。
【請求項５】
前記本体部（５１）の脚部側に、左右側縁から突出する耳部（５３ａ）（５３ｂ）が設けられている請求項１〜４のいずれかに記載の敷材。
【請求項６】
前記耳部（５３ａ）（５３ｂ）は、互いに係合する係合手段を有する請求項５に記載の敷材。
【請求項７】
請求項１〜６のいずれかに記載された敷材（５０）と、
前記敷材（５０）を保持するキャリア本体（１０）と、
前記キャリア本体（１０）に取付けられるショルダーベルト（３０）とを備えることを特徴とするベビーキャリア。
【請求項８】
前記敷材（５０）は、装着用部材を介してキャリア本体（１０）に着脱自在に装着される請求項７に記載のベビーキャリア。
【請求項９】
前記装着用部材は、前記敷材（５０）の本体部（５１）の頭部側周縁に取付けられて前記敷材（５０）の裏面との間に下端で開口する袋状部（５７）を形成するとともに、この袋状部（５７）の上部左右両側に開口部（５８）（５８）を形成する袋部材（５６）である一方、前記キャリア本体（１０）は、後頭サポート部（４１）と該後頭サポート部（４１）の左右両側縁から突出する帯状の側頭サポート部（４２）（４２）とを有する頭部サポート部材（４０）を備え、
前記頭部サポート部材（４０）の後頭サポート部（４１）を前記敷材（５０）の袋状部（５７）の下端側から袋状部（５７）内に挿入するとともに、側頭サポート部（４２）（４２）を左右の開口部（５８）（５８）から引き出すことにより、前記敷材（５０）がキャリア本体（１０）に装着される請求項８に記載のベビーキャリア。
【請求項１０】
前記敷材はキャリア本体に一体化されている請求項７に記載のベビーキャリア。
【発明の詳細な説明】
【０００１】
【発明の属する技術分野】
この発明は、ベビーキャリアに装着する敷材および敷材付のベビーキャリアに関する。
【０００２】
【従来の技術】
ベビーキャリアは、幼児の成長に伴って、首のすわる前の乳児期には乳児を寝かせて保持する横抱き用のものが使用され、首がすわってからはおんぶまたはだっこで保持する縦抱き用のものが使用される。
【０００３】
横抱きで使用する乳児期は月齢の進んだ幼児以上に高い安全性が求められる。このため、例えば乳児の頭部の保護を目的として、寝かせた乳児の頭部の周りにほぼ垂直に起立するガード部を設けることが提案されている（例えば、特許文献１、２、３）。
【０００４】
これらの各特許文献に記載されたガード部は、幼児の頭部を囲むように頭部程度の高さに形成され、外部から衝撃から頭部を防護する機能を有する。
【０００５】
【特許文献１】
特開２０００−２４５５８１号公報（請求項１、図１における符号（４１）等）
【０００６】
【特許文献２】
特開２００２−２８２０９７号公報（請求項１、図１における符号（４１）等）
【０００７】
【特許文献３】
登録実用新案第３０７７９９２号公報（請求項１、図１における符号（５２）等）
【０００８】
【発明が解決しようとする課題】
しかしながら、より高い安全性や快適性を求めるために、衝撃のみならず陽光や風塵を遮蔽したいという要望がある。上記ガード部では高さが不足して、陽光や風塵を遮蔽するには足りない。無論、ガード部の高さを十分に高くするとともに、顔側に湾曲させれば陽除けあるいは風塵除けとすることができる。しかし、陽除けや風塵除けは常時必要とするものではなく、不要時にはむしろ邪魔になる。
【０００９】
この発明は、上述した従来のガード部付に鑑み、必要に応じて簡単な操作で陽除け等の出し入れを行える敷材および敷材付のベビーキャリアの提供を目的とする。
【００１０】
【課題を解決するための手段】
この発明の敷材は、前記目的を達成するために、幼児の背面側にあてがう本体部（５１）と、この本体部（５１）の頭部側周縁から立ち上がるガード部（５８）と、基端縁（６１）が前記ガード部（５８）の上端縁に取付けられて起立可能なつば部（６０）とを備えることを基本要旨とする。
【００１１】
この発明の敷材において、前記つば部（６０）の外周縁（６２）に芯材が取付けられていることが好ましい。
【００１２】
また、前記本体部（５１）を保持するキャリア本体（１０）に装着するための装着用部材を備えることが好ましい。前記装着用部材として、前記本体部（５１）の頭部側周縁に取付けられて前記敷材の裏面との間に下端で開口する袋状部（５７）を形成するとともに、この袋状部（５７）の上部左右両側に開口部（５８）（５８）を形成する袋部材（５６）であるを例示できる。
【００１３】
また、前記本体部（５１）の脚部側に、左右側縁から突出する耳部（５３ａ）（５３ｂ）が設けられていることが好ましい。
【００１４】
さらに、前記耳部（５３ａ）（５３ｂ）は、互いに係合する係合手段を有することが好ましい。
【００１５】
この発明のベビーキャリアは、請求項１〜６のいずれかに記載された敷材（５０）と、前記敷材（５０）を保持するキャリア本体（１０）と、前記キャリア本体（１０）に取付けられるショルダーベルト（３０）とを備えることを基本要旨とする。
【００１６】
前記敷材（５０）は、装着用部材を介してキャリア本体（１０）に着脱自在に装着されることが好ましい。例えば、前記装着用部材が、前記敷材（５０）の本体部（５１）の頭部側周縁に取付けられて前記敷材（５０）の裏面との間に下端で開口する袋状部（５７）を形成するとともに、この袋状部（５７）の上部左右両側に開口部（５８）（５８）を形成する袋部材（５６）である一方、前記キャリア本体（１０）は、後頭サポート部（４１）と該後頭サポート部（４１）の左右両側縁から突出する帯状の側頭サポート部（４２）（４２）とを有する頭部サポート部材（４０）を備え、前記頭部サポート部材（４０）の後頭サポート部（４１）を前記敷材（５０）の袋状部（５７）の下端側から袋状部（５７）内に挿入するとともに、側頭サポート部（４２）（４２）を左右の開口部（５８）（５８）から引き出すことにより、前記敷材（５０）がキャリア本体（１０）に装着されることが好ましい。
【００１７】
また、前記敷材はキャリア本体に一体化されていることが好ましい。
【００１８】
【発明の実施の形態】
この発明の好適な１つの実施形態を、図示例に基づいて以下に説明する。
〔ベビーキャリア〕
図１および図２に示すベビーキャリア（１）は、頭部サポート部材（４０）を有するキャリア本体（１０）、ショルダーベルト（３０）から構成され、図３〜５に示す敷材（５０）を装着することができる。また、前記敷材（５０）の着脱とショルダーベルト（３０）の装着方向の組合せにより、横抱き、おんぶ、対面だっこおよび前向きだっこの４通りの保持方法で使用することができる。
【００１９】
前記キャリア本体（１０）は、逆台形状の背当て部（１１）と、該背当て部（１１）の下端に連続形成された側面略Ｕ字状を呈する広幅帯状の股当て部（１２）とを有する。そして、前記背当て部（１１）の左右側縁のほぼ中央と、前記股当て部（１２）の左右側縁と間に伸縮自在の足ぐりベルト（１３）（１３）が架け渡され、前記股当て部（１２）が持ち上げられてキャリア本体（１０）内が幼児の身体に沿った立体形状となっている。
【００２０】
前記背当て部（１１）の外面には、左右に所定間隔をもって２つのラダー部材（１５）（１５）が細幅のベルト（１４）を介して取付けられている。これらのラダー部材（１５）（１５）は、背当て部（１１）の左右両端に縫着された調整用ベルト（１６）（１６）に係合されて、調整用ベルト（１６）（１６）を適宜引締めることにより背当て幅を拡縮するようになされている。
【００２１】
さらに、前記背当て部（１１）の外面にはポーチ（２０）が着脱自在に取付けられている。前記ポーチ（２０）は、裏面の左右上部に縫着されたテープ（２１）（２１）（一方のみを図示）を前記調整用ベルト（１６）（１６）に掛け通し、テープ（２１）（２１）の両端に取り付けられたスナップ（２２ａ）（２２ｂ）を止着して、前記調整用ベルト（１６）（１６）に巻留める態様で背当て部（１１）に装着される。また、前記ポーチ（２０）の裏面下部は、面ファスナ（２３ａ）（２３ｂ）の離合によっても背当て部（１１）に係着自在となされている。従って、前記ポーチ（２０）の装着状態において、背当て部（１１）とポーチ（２０）との間には隙間が形成されている。なお、図中（２４）は、前記面ファスナ（２３ａ）（２３ｂ）の離合の際に前記背当て部（１１）側の浮き上がりを押さえるための引き紐である。
【００２２】
前記ショルダーベルト（３０）（３０）は左右一対あり、その基部が背当て部（１１）の背面に背面視略Ｖ字状をなす態様に縫着一体化され、背当て部（１１）の上端部から上方に引き出されている。使用者の肩に掛かる部分は、太い帯状のものに形成される一方、先端側はそれより細い帯紐部（３１）（３１）によって形成されている。
【００２３】
また、前記ショルダーベルト（３０）（３０）の先端側の前記帯紐部（３１）（３１）には、その中間部に第１バックル（３２ａ）（３２ａ）が、摺動による取付位置変更自在に取付けられている。これらの第１バックル（３２ａ）（３２ａ）は、キャリア本体（１０）の股当て部（１２）の前端部外面に取付けられた相手方の第２バックル（３２ｂ）（３２ｂ）と対をなすもので、それらに分離自在に止着連結しうるものである。さらに、前記ショルダーベルト（３０）（３０）の帯紐部（３１）（３１）の各先端には、互いに対をなす第１および第２のバックル（３３ａ）（３３ｂ）が取付けられ、相互を止着連結しうるものとなされている。また、背当て部（１１）からの引出し位置より少し上方に、後述の側頭サポート部（４２）を係止するためのＤ鐶（３５）が取付けられている。
【００２４】
前記頭部サポート部材（４０）は、キャリア本体（１０）の背当て部（１１）に上方突出状に着脱可能に取付けられる。
【００２５】
前記頭部サポート部材（４０）は、概略長方形の板状の後頭サポート部（４１）と、この後頭サポート部（４１）の左右両側に突出する帯状の側頭サポート部（４２）（４２）とを有し、さらに前記後頭サポート部（４１）の背後に後頭サポート部（４１）とほぼ同形のカバー部（４３）が付設されている。前記後頭サポート部材（４１）は、重ねられた板材とクッション材とを内包し、幼児の頭部を後方から柔らかくかつしっかりと支持する。前記側頭サポート部（４２）（４２）は、後頭サポート部（４１）に一体に形成され、各先端部にはショルダーベルト（３０）（３０）に係止させるための２対のスナップ（４４ａ）（４４ａ）（４４ｂ）（４４ｂ）が取付けられている。また、前記カバー部（４３）は、上半部（４３ａ）は後頭サポート部（４１）に対して上端縁および左右両側縁の一部が縫着され、前記側頭サポート部材（４２）（４２）の基端部近傍に開口部（４５ａ）（４５ｂ）が形成されている一方、下半部（４３ｂ）は後頭サポート部（４１）に縫着されず、後頭サポート部（４１）を覆っている。前記側頭サポート部（４２）は、ショルダーベルト（３０）への係止状態において幼児の頭部を側方から支持する。
【００２６】
前記頭部サポート部材（４０）の着脱は、頭部サポート部材（４０）に設けたスナップによる止着具（４７ａ）と背当て部（１１）に設けた相手方止着具（４７ｂ）との係合と、抑さえ帯（４８）との併用によって行う。また、頭部サポート部材（４０）の装着状態におて、カバー部（４３）の下半部（４３ｂ）は、図２の点線で示すように背当て部（１１）とポーチ（２０）との間に差し入れておく。また、側頭サポート部（４２）を使用しない場合は、左右の開口部（４５ａ）（４５ｂ）から後頭サポート部（４１）とカバー部（４３）との間に差入れ、先端部は背当て部（１１）とカバー部（４３）との間に垂らして収納しておく。このとき、面ファスナ（２３ａ）（２３ｂ）を外してポーチ（２０）を跳ね上げ、側頭サポート部（４２）の先端部を引き下ろすようにすれば、カバー部（２３）内での収まりが良い。
〔敷材〕
図３〜図５に、前記ベビーキャリア（１）に装着する敷材（５０）の一例を示す。
【００２７】
これらの図において、敷材（５０）は、幼児の背面側にあてがう本体部（５１）と、この本体部（５１）の頭部側に連続的に形成されたガード部（５２）と、このガード部（５２）に縫着されたつば部（６０）とから構成される。
【００２８】
前記本体部（５１）は、概略長方形で、幼児側に位置する柔らかい内布とキャリア本体（１０）側に位置する張りのある外布との間にクッション材を挟み込み、さらに頭部側に硬質の芯材を挟んだ積層体で構成されている。また、前記本体部（５１）の脚部側には左右両側縁から突出する耳部（５３ａ）（５３ｂ）が形成され、さらにその先端に面ファスナ（５４ａ）（５４ｂ）が縫着された巻き留めベルト（５５ａ）（５５ｂ）が設けられている。
【００２９】
また、前記本体部（５１）の裏面頭部側には本体部（５１）の上半部とほぼ同形の袋部材（５６）が付設されている。前記袋部材（５６）は、下端部および上部の左右所定位置を除く外周部が本体部（５１）の周縁に縫着され、この縫着によって、下端に開口部（５９）を有する袋状部（５７）に形成されているとともに、この袋状部（５７）には左右側縁にスリット状の開口部（５８）（５８）が形成されている。
【００３０】
前記ガード部（５２）は、敷布部（５１）と同様に内布と外布との間にクッション材を挟み込んだ積層体で構成され、本体部（５１）の頭部側の周縁から略垂直に起立するように縫着されて幼児の頭頂部から側頭部を囲むものとなされている。
【００３１】
前記つば部（６０）は平面視略半月形の布帛製であり、基端縁（６１）でガード部（５２）の上端縁に縫着され、外周縁（６２）は硬質で可撓性を有するコード芯（６３）を縫い込んだパイピングによって端部処理がなされている。
【００３２】
図５に示すように、前記つば部（６０）を基端縁（６１）を中心にして上方に折り上げるとガード部（５２）の上端縁から内側に若干傾斜して起立し、かつコード芯（６３）によって外周縁（６１）の円弧形状が保持されて起立状態が維持される。このつば部（６０）は光や風塵を遮って幼児の頭や顔を防護する。また図３に示すように、つば部（６０）を下げると、つば部（６０）はガード部（５２）の外面にぴったりと寄り添う。前記つば部（６０）はコード芯（６３）によって外周縁（６２）の形状が保持されているため、降下状態においても不本意につば部（６０）がめくり上がることがない。また、ガード部（５２）に寄り添った状態であるから、つば部（６０）による嵩張りは僅かであり、ガード部（５２）のデザインを損なうこともない。
【００３３】
次に、ベビーキャリア（１）による異なる幼児保持方法について説明する。
（横抱き例）
まず、上述した方法でキャリア本体（１０）に頭部サポート部材（４０）を装着する。また、ショルダーベルト（３０）（３０）は、第１バックル（３２ａ）（３２ａ）を先端側に摺動させて先端余剰部分（３１ａ）（３１ａ）が短くなるように調節するとともに、第１バックル（３２ａ）および第２バックル（３２ｂ）を締結しておく。
【００３４】
次に、キャリア本体（１０）に敷材（５０）を装着する。図６に示すように、頭部サポート部材（４０）の上方から後頭サポート部（４１）に前記敷材（５０）の袋部材（５６）を被せて袋状部（５７）内に深く差し込み、左右のスリット状開口部（５８）（５８）から側頭サポート部（４２）（４２）を通して引き出す。さらに図７に示すように、本体部（５１）の両耳部（５３ａ）（５３ｂ）でキャリア本体（１０）の股当て部（１２）の側縁を覆って両巻き留めベルト（５５ａ）（５５ｂ）を係合させる。これらの操作により、敷材（５０）は頭部側と脚部側の両方でキャリア本体（１０）の所定位置に装着され、使用中のずれが防止される。
【００３５】
次に、図７に示すように、左右の側頭サポート部（４２）（４２）の先端部をショルダーベルト（３０）（３０）のＤ鐶（３５）（３５）に係止する。これにより、敷材（５０）はさらに安定した装着状態となる。
【００３６】
このようにして敷材（５０）を装着したベビーキャリア本体（１０）内に幼児を寝かせ、足をキャリア本体（１０）と足ぐりベルト（１３）との間に差し入れる。この足ぐりベルト（１３）によって幼児の足を抑えてキャリア本体（１０）からの脱落を防止することができる。また、股当て部（１２）の側縁を敷材部（５０）の耳部（５３ａ）（５３ｂ）が覆っているため、幼児の足への食い込みが緩和される。
【００３７】
そして、図８に示すように、キャリア本体（１０）を水平近くにするとともに、左右のショルダーベルト（３０）（３０）を一括して片方の肩にたすき掛けにする。前記敷材（５０）は必要に応じてつば部（６０）を上げる。図８はつば部（６０）を上げた状態を例示している。
（おんぶまたは対面だっこ）
まず、上述した方法でキャリア本体（１０）に頭部サポート部材（４０）を装着する。また、ショルダーベルト（３０）（３０）は、横抱き時よりも先端余剰部分（３１ａ）（３１ａ）が長くなるように第１バックル（３２ａ）（３２ａ）の位置を調節しておく。
【００３８】
次に、キャリア本体（１０）内に幼児を収容する。
【００３９】
そして、おんぶの場合は、キャリア本体（１０）を使用者の背中側に配置して背負い、ショルダーベルト（３０）（３０）を左右の肩に掛け、左右のショルダーベルト（３０）（３０）が平行するように第１バックル（３２ａ）および第２バックル（３２ｂ）を締結する。さらに、先端余剰部分（３１ａ）を引っ張ってショルダーベルト（３０）を適正長さになるまで短くしたのち、先端部のバックル（３３ａ）（３３ｂ）を腰に回して締結する（図示省略）。
【００４０】
また、図９に示す対面だっこの場合は、キャリア本体（１０）を使用者の正面側に配置し、ショルダーベルト（３０）（３０）を背面側で交差させて第１バックル（３２ａ）および第２バックル（３２ｂ）を締結し、先端余剰部分（３１ａ）を引っ張って適正長さに調節する。
【００４１】
なお、おんぶまたは対面だっこにおいて、前記敷材（５０）は幼児の頭部とガード部（５２）との間に余裕のあるときのみ使用できる。
（前向きだっこ）
キャリア本体（１０）から頭部サポート部材（４０）を外しておく。また、ショルダーベルト（３０）（３０）の調節は対面だっこ時に準ずる。
【００４２】
そして、キャリア本体（１０）の背当て部（１１）が幼児の胸腹部を支える方向に幼児を収容し、対面だっこ時と同様に、キャリア本体（１０）を使用者の正面側に配置し、ショルダーベルト（３０）（３０）を装着する。
【００４３】
上述したように、キャリア本体（１０）内に前記敷材（５０）を装着し、つば部（６０）の起立によって光や風塵を遮り、安全で快適な幼児抱持を行うことができる。また、不要時につば部（６０）を下げれば邪魔にならない。また、前記敷材（５０）は、袋部材（５６）および巻き留めベルト（５４ａ）（５４ｂ）を介してキャリア本体（１０）に装着されているため、敷材（５０）の脱落や位置ずれを防止することができる。また敷材（５０）の装着に際しては、裏面に袋部材（５６）を付設することにより頭部サポート部材（４０）をキャリア本体（１０）側の装着用部材としても利用することができるから、頭部サポート部（４０）を有する既存のベビーキャリアに対しても敷材（５０）を装着することができる。また巻き留めベルト（５４ａ）（５４ｂ）による装着であれば、頭部サポート部材（４０）が無くても装着が可能である。
【００４４】
さらに、前記敷材（５０）の使用によって、キャリア本体（１０）の内面の凹凸解消、揺れ等による外部からの衝撃の緩和、保温効果が得られる。さらに、ガード部（５２）によって幼児の頭部周りを保護するとともに、頭部からの墜落を防止することができる。
【００４５】
なお、この発明の敷材およびベビーキャリアの各部の詳細な構成は、図示とともに上述した態様に限定されない。
【００４６】
敷材（５０）のつば部（６０）は起立状態を保持できるものであれば、材質や起立保持手段は限定されない。上述の実施形態のコード芯を外周縁（６２）に取付ける方法は、つば部自体は布帛１枚で済むから嵩張りが少なく、製作作業も簡単である。その他の方法としては、つば部全体にシート状の芯材を積層して張りを与えたり、つば部を可撓性板材で構成することによっても起立状態を保持することができる。
【００４７】
敷材（５０）をキャリア本体（１０）に装着する手段としては、本体部（５１）の裏面に設けた袋部材（５６）と巻き留めベルト（５５ａ）（５５ｂ）の併用に限定されない。どちらか一方を単独で使用しても良いし、他の装着用部材を用いることもできる。他の装着方法として、本体部（５１）の側縁またはガード部の側面にループを設けて側頭サポート部（４２）を通す方法、スナップや面ファスナ等でキャリア本体または肩ベルトに連結する方法等を例示できる。また、キャリア本体（１０）と連結させず、敷材（５０）を所定位置に敷くだけでも良い。しかし、何らかの方法で連結してキャリア本体から脱落しないようにすることが望ましい。
【００４８】
また、キャリア本体（１０）は、背当て部（１１）のみからなるもの、あるいは股当て部（１２）の前側に前当て部が付加されて袋状に形成されたものでも良い。また、キャリア本体の形状に応じてショルダーベルトの数、形状、取付位置も適宜変更できる。さらに、頭部サポート部材（４０）はキャリア本体（１０）に一体化されたものでも良いし、側頭サポート部（４２）の有無、あるいは着脱の可否も限定されない。
【００４９】
さらに、敷材とキャリア本体とが一体化し、キャリア本体の背当て部および頭当て部が実質的に敷材の本体部を構成するものも本発明に含まれる。例えば、図１０に示すベビーキャリア（２）は横抱き専用であり、幼児を収容するキャリア本体（７０）とショルダーベルト（７１）とにより構成される。
【００５０】
前記キャリア本体（７０）において、前記支持台部（７２）は仰臥させた幼児の頭部から胴部を載置して背面側から支持する概略長方形であり、前記支持台部（７２）の胴部側尾端に帯状の股当て部（７３）が連続形成されている。ガード部（７４）は、前記支持台部（７２）の頭部側周縁に起立状態で設けられ、支持台部（７２）の左右両側縁に起立する側面ガード（７５）（７５）が連続形成されている。また、前記股当て部（７３）から側面ガード部（７５）に伸縮自在の足ぐりベルト（７６）が架け渡されている。
【００５１】
ガード部（７４）の上端縁には、上述の敷材と同じく、半月形のつば部（６０）がその基端縁（６１）で縫着され、必要に応じてつば部（６０）を上げて起立状態を保持することができる。図１０はつば部（６０）の起立状態を示すものであり、下げた状態では図３に準じてガード部（７４）の外面に寄り添う。
【００５２】
ショルダーベルト（７１）は、１本の帯紐がキャリア本体（７０）の背面を通って左右の側面ガード（７５）（７５）に縫着され、側面ガード（７５）（７５）の頭部側から引き出されてその両端を一方の側面ガード（７５）上でリング（７７）に通し留めることにより、全体が長いループ状に形成されている。そして、そのループ上にスライド自在に取り付けられたバックル（７８ａ）を股当て部（７３）の先端部に設けられた相手方バックル（７８ｂ）に係合させる。かくして、キャリア本体（７０）は左右の側面ガード（７５）（７５）と股当て部（７３）の３点でショルダーベルト（７１）に吊り下げられる。
【００５３】
従って、前記支持台部（７２）は本発明における敷材の本体部に対応するとともに、キャリア本体の一部をも構成している。このような敷材とキャリア本体の一体化により、抱持方法は限定されるものの、ベビーキャリアの構造を簡素化することができる。
【００５４】
【発明の効果】
以上の次第で、この発明の敷材の本体部上に幼児を仰臥させると、頭部がガード部で囲まれて保護される上に、必要に応じてつば部を起立させて陽除けや風塵除けとすることができる。また、つば部を下げればガード部に寄り添って邪魔にならない。
【００５５】
前記つば部の起立状態の維持は、例えばつば部の外周縁に芯材を取付けることによって行え、つば部が嵩張らず製作も容易である。
【００５６】
また、敷材部にキャリア本体への装着用部材を設けることよって、敷材をキャリア本体に安定した状態に装着できる。
【００５７】
前記装着用部材が袋部材である場合は、キャリア本体の頭部サポート部材を利用して装着することができる。
【００５８】
また、前記敷材の脚部側に耳部が形成されている場合は、該耳部でキャリア本体の側縁を覆うことにより、側縁が幼児の足に食い込むのを緩和することができる。
【００５９】
さらに、前記耳部に互いに係合する係合手段が設けられている場合、これらの係合によって敷材をキャリア本体に巻き留めることができ、キャリア本体への装着用部材として使用できる。
【００６０】
この発明のベビーキャリアは、上述した敷材を有するものであるから、幼児ののをガード部で囲んだ上に、必要に応じてつば部を起立させて陽除けや風塵除けとすることができるから、安全で快適な幼児抱持を行うことができる。また、つば部を下げればガード部に寄り添って邪魔にならない
前記敷材が装着用部材を介してキャリア本体に着脱自在に装着される場合は、敷材を取り外しておんぶやだっこにも転用できる。
【００６１】
前記装着用部材が敷材の裏面に袋状部を形成する袋部材である一方、前記キャリア本体が後頭サポート部と側頭サポート部とを有する頭部サポート部材を有する場合は、前記後頭サポート部袋状部内に挿入するとともに、側頭サポート部を左右の開口部から引き出すことにより、前記敷材をキャリア本体に安定した状態に装着することができる。
【００６２】
また、前記敷材がキャリア本体に一体化されたベビーキャリアでは構造を簡素化できる。
【図面の簡単な説明】
【図１】この発明の敷材を装着するベビーキャリアを示す全体斜視図である。
【図２】図１のベビーキャリアを背面側からみた部分斜視図である。
【図３】この発明の敷材の一実施形態を示す全体斜視図である。
【図４】図３の敷材を裏面から見た全体斜視図である。
【図５】図３の敷材において、つば部の起立状態を示す斜視図である。
【図６】敷材の装着方法を示す背面側斜視図である。
【図７】敷材の装着方法を示す前面側斜視図である。
【図８】ベビーキャリアを横抱きで使用した状態を斜視図である。
【図９】ベビーキャリアを対面だっこで使用した状態を示す斜視図である。
【図１０】本発明の敷材を用いた他のベビーキャリアを示す斜視図である。
【符号の説明】
１、２…ベビーキャリア
１０、７０…キャリア本体
３０…ショルダーベルト
４０…頭部サポート部材
４１…後頭サポート部
４２…側頭サポート部
５０…敷材
５１…本体部
５２，７４…ガード部
５３ａ，５３ｂ…耳部
５４ａ，５４ｂ…面ファスナ（装着用部材）
５５ａ，５５ｂ…巻き留めベルト（装着用部材）
５６…袋部材（装着用部材）
５７…袋状部
５８…開口部
６０…つば部
６１…基端縁
６２…外周縁
【図１】
2004248879.tif 000003
【図２】
2004248879.tif 000004
【図３】
2004248879.tif 000005
【図４】
2004248879.tif 000006
【図５】
2004248879.tif 000007
【図６】
2004248879.tif 000008
【図７】
2004248879.tif 000009
【図８】
2004248879.tif 000010
【図９】
2004248879.tif 000011
【図１０】
2004248879.tif 000012